(57)【要約】【課題】レーザ光源の位置調整、あおり調整を可能としながらもレーザ光源の光ディスク側のスペースを狭くして小型化することができる光ピックアップ装置および光ディスク装置を提供することを目的とする。【解決手段】第１のレーザ光源２２と、第１のレーザ光源２２のレーザ光が出射される出射部２２ａと反対側に配置され第１のレーザ光源２２の発光点２３を回転中心とする第１の摺動面２４ａを有するレーザ光源あおり調整部材２４と、レーザ光源あおり調整部材２４の第１の摺動面２４ａを支持する受け面２５ａと光軸に略垂直な第２の摺動面２５ｄを有するレーザ光源シフト部材２５を備えることで第１のレーザ光源２２の調整機構はすべて第１のレーザ光源２２の光ディスク８側と反対側に設けた。【選択図】図２
2006146977.tif 000002
【特許請求の範囲】
【請求項１】
光ディスクに対して情報の記録か再生の少なくとも一方を行う光ピックアップ装置であって、レーザ光を出射するレーザ光源と、前記レーザ光源のレーザ光が出射される出射部と反対側に配置され前記レーザ光源の発光点を回転中心とする第１の摺動面を有するレーザ光源あおり調整部材と、前記レーザ光源あおり調整部材の第１の摺動面を支持する受け面と光軸に略垂直な第２の摺動面を有するレーザ光源シフト部材を有するレーザモジュールを備えたことを特徴とする光ピックアップ装置。
【請求項２】
前記レーザ光源あおり調整部材は前記レーザ光源シフト部材の前記レーザ光源あおり調整部材と反対側に設けられた押さえ部材によって前記レーザ光源シフト部材に支持されたことを特徴とする請求項１に記載の光ピックアップ装置。
【請求項３】
前記押さえ部材は弾性体であることを特徴とする請求項２に記載の光ピックアップ装置。
【請求項４】
複数のレーザ光源を有し、少なくとも１つのレーザ光源は請求項１に記載のレーザモジュールを構成することを特徴とする請求項１に記載の光ピックアップ装置。
【請求項５】
請求項１に記載の光ピックアップ装置と、光ディスクを回転させる回転駆動手段と、前記回転駆動手段に対して前記光ピックアップ装置を近づけたり離したりする移動手段を備えたことを特徴とする光ディスク装置。
【発明の詳細な説明】
【技術分野】
【０００１】
本発明は、光ディスクの記録および再生に使用する光源の調整機構を備えた光ピックアップ装置、ならびにこの光ピックアップ装置を用いた光ディスク装置に関する。
【背景技術】
【０００２】
従来、光学記録媒体として、ＤＶＤ（デジタルバーサティルディスク）、ＣＤ−Ｒ（書き込み可能なコンパクトディスク）、ＣＤ−ＲＷ（書き換え可能なコンパクトディスク）等の種々の光ディスクが開発されている。ＤＶＤは、波長約６６０ｎｍのレーザ光により情報の記録または再生が行われる。一方、ＣＤ−ＲやＣＤ−ＲＷは、波長約７８０ｎｍのレーザ光により情報の記録または再生が行われる。このような複数種類の光ディスクに対して情報の記録または再生を行うことができる光ピックアップ装置を搭載した光ディスク装置が提案されている。
【０００３】
このような光ピックアップ装置においてレーザ光源から出射されるレーザ光が適正な方向に出射されないと光ディスクに照射される光強度が弱まるため情報の記録再生は正確に行われない。そのためレーザ光を適正な方向に出射するようレーザ光源の姿勢調整をしている。このような姿勢調整をあおり調整という。
【０００４】
図７は従来の光ピックアップ装置の光学系の概略構成図である。簡略化のためレーザ光源は１つとし、光路分離のための光学部品、光量モニタ用の光学系は省略している。レーザ光源１０１は光ディスク１０８側に設けられたあおりホルダ１０３に固着されている。あおりホルダ１０３は摺動面１０３ａでホルダ受け１０４の受け面１０４ａに支持される。ホルダ受け１０４は光ピックアップ装置本体（図示せず）に固着される。発光点２はレーザ光の出射口からレーザ光を見たときのこのレーザ光の発光点である。摺動面１０３ａおよび受け面１０４ａは発光点１０２を中心とする球面である。したがって、発光点１０２を中心にしてあおりホルダ１０３を回動することにより、発光点１０２の位置を変えることなくレーザ光の出射の方向を変えることができる。このようにあおりホルダ１０３やホルダ受け１０４のようなあおり調整機構を備えたレーザ光源１０１をレーザモジュールという。最適な出射方向にされて発光点１０２から出射されたレーザ光はあおりホルダ１０３、ホルダ受け１０４に設けられた貫通孔を通過して、コリメートレンズ１０５にて略平行光に変換され、立ち上げミラー１０６にて光ディスク１０８に対し略垂直方向に向きを変えられ、対物レンズ１０７により光ディスク１０８に集光される（（特許文献１）参照。）。
【特許文献１】特開２０００−２７６７５５号公報
【発明の開示】
【発明が解決しようとする課題】
【０００５】
光ピックアップ装置の小型化に伴って、レーザ光源の位置、あおり調整機構は制約を受け、狭いスペースでも十分な位置調整、あおり調整が可能であることが求められる。特にレーザ光源の光ディスク側周辺のスペースは狭くなっている。ところが、従来の構成ではあおりホルダおよびホルダ受けはレーザ光源の光ディスク側に設けられているためレーザ光源周辺のスペースを小さくすることができず、光ピックアップ装置の小型化が困難であった。
【０００６】
本発明は上記課題を解決するためになされたものであって、レーザ光源の位置調整、あおり調整を可能としながらもレーザ光源の光ディスク側のスペースを狭くして小型化することができる光ピックアップ装置を提供することを目的とする。
【課題を解決するための手段】
【０００７】
上記課題を解決するために、本発明においては光ディスクに対して情報の記録か再生の少なくとも一方を行う光ピックアップ装置であって、レーザ光を出射するレーザ素子を備えたレーザ光源と、前記レーザ光源のレーザ光が出射される出射部と反対側に配置され前記レーザ光源の発光点を回転中心とする第１の摺動面を有するレーザ光源あおり調整部材と、前記レーザ光源あおり調整部材の第１の摺動面を支持する受け面と光軸に略垂直な第２の摺動面を有するレーザ光源シフト部材を有するレーザモジュールを備えた光ピックアップ装置である。
【０００８】
本発明によれば、レーザ光源の調整機構をすべてレーザ光源の光ディスク側と反対側に設けたので、光ピックアップ装置のレーザ光源の光ディスク側のスペースを狭くすることができる。
【発明の効果】
【０００９】
本発明の光ピックアップ装置はレーザ光源の位置調整、あおり調整をすることができる上にレーザ光源の光ディスク側のスペースを狭くすることができるのでさらに小型化することができる。そのためさらに小型で安定した記録再生の光ピックアップ装置が実現できる。
【発明を実施するための最良の形態】
【００１０】
本発明の第１の発明は、光ディスクに対して情報の記録か再生の少なくとも一方を行う光ピックアップ装置であって、レーザ光を出射するレーザ光源と、前記レーザ光源のレーザ光が出射される出射部と反対側に配置され前記レーザ光源の発光点を回転中心とする第１の摺動面を有するレーザ光源あおり調整部材と、前記レーザ光源あおり調整部材の第１の摺動面を支持する受け面と光軸に略垂直な第２の摺動面を有するレーザ光源シフト部材を有するレーザモジュールを備えた光ピックアップ装置である。本発明の光ピックアップ装置はレーザ光源の位置調整、あおり調整をすることができる上にレーザ光源の光ディスク側のスペースを狭くすることができるのでさらに小型化することができる。そのためさらに小型で安定した記録再生の光ピックアップ装置が実現できる。
【００１１】
第２の発明は、第１の発明において前記レーザ光源あおり調整部材は前記レーザ光源シフト部材の前記レーザ光源あおり調整部材と反対側に設けられた押さえ部材によって前記レーザ光源シフト部材に支持された光ピックアップ装置である。レーザ光源あおり調整部材とレーザ光源シフト部材をレーザ光源の発光点側とは反対側に設けても、押さえ部材によってレーザ光源あおり調整部材とレーザ光源シフト部材をレーザ光源に取り付けることができる。そのためレーザ光源をレーザモジュールとして取り扱うことができる。しかも押さえ部材自体もレーザ光源の光ディスクと反対側に設けられているため、レーザ光源の光ディスク側に調整機構は存在しない。そのためレーザ光源の光ディスク側のスペースを狭くできる。
【００１２】
第３の発明は、第２の発明において前記押さえ部材は弾性体である光ピックアップ装置である。そのためレーザ光源あおり調整部材の摺動面には適正な荷重がかかり、スムーズな調整ができる。
【００１３】
第４の発明は、第１の発明において複数のレーザ光源を有し、少なくとも１つのレーザ光源は第１の発明のレーザモジュールを構成する光ピックアップ装置である。そのため、位置調整、あおり調整が必要なレーザ光源のみに位置調整機構、あおり調整機構を設けてレーザモジュールとし、必要としないレーザ光源はレーザモジュールとする必要はないので、より小型で安価な光ピックアップ装置とすることができる。
【００１４】
第５の発明は、第１の発明の光ピックアップ装置と、光ディスクを回転させる回転駆動手段と、前記回転駆動手段に対して前記光ピックアップ装置を近づけたり離したりする移動手段を備えた光ディスク装置である。光ピックアップ装置がさらに小型で安定した記録再生を実現できるため、光ディスク装置もさらに小型で安定した記録再生が実現できる。
【００１５】
以下、本発明の実施の形態について図を用いて説明する。
【００１６】
（実施の形態１）
図１は本実施の形態１の光ピックアップ装置の光学系の構成図である。図２（ａ）は本実施の形態１のレーザモジュールの分解図、（ｂ）は本実施の形態１のレーザモジュールの構成図である。図３は図１、図２に示す構成部品を実装した光ピックアップ装置の一例を示す図である。
【００１７】
まず本実施の形態１の光ピックアップ装置の構成について説明する。本実施の形態１の光ピックアップ装置はＣＤ用とＤＶＤ用の両方で使用できる光ピックアップ装置である。ＣＤ用は波長λ２が７８０ｎｍである第２のレーザ光源１０、ＤＶＤ用は波長λ１が６６０ｎｍである第１のレーザ光源２２を用いる。また、本実施の形態１の場合、レーザモジュール１は第１のレーザ光源２２を含んで構成される。
【００１８】
反射ミラー２は光学部材の鏡面部に全反射膜が形成されている。コリメートレンズ３、９は光学ガラスまたは光学プラスチックで作製され、発散光を平行光に、あるいはその逆に平行光を集束光に変換する。ビームスプリッタ４は光学ガラスまたは光学プラスチックで作製されその内部の斜面には多層膜（図示せず）が形成されている。この多層膜は第１のレーザ光源２２から出射された光の大半を透過させ、第２のレーザ光源１０から出射された光の大半を反射させ、光ディスク８で反射された光は全て全反射する。立ち上げプリズム５には波長λ１の光と波長λ２の光のいずれをも高い反射率で反射する多層膜（図示せず）が形成されている。ホログラム素子６は偏光ホログラム６ａと１／４波長板６ｂで構成される。偏光ホログラム６ａは波長λ１の光にのみ作用するよう波長選択性のある材料で作製されている。１／４波長板６ｂは波長λ１、λ２両方に作用するよう屈折率、厚みが設定されている。対物レンズ７は光学ガラスまたは光学プラスチックで作製されており、光ディスク８に集光させる。光ディスク８はＣＤ系がＣＤ、ＣＤ−ＲＯＭ、ＣＤ−Ｒ／ＲＷ、ＤＶＤ系がＤＶＤ−ＲＯＭ、ＤＶＤ±Ｒ／ＲＷ、ＤＶＤ−ＲＡＭなどであり、ＣＤ系もＤＶＤ系も再生専用の媒体を除いて全て記録も再生も可能なものである。
【００１９】
第２のレーザ光源１０の光ディスク８側には回折格子１１が設けられ、第２のレーザ光源１０から出射された光を３ビームトラッキング法に用いられる３本のレーザ光ビームに分離する。回折格子１１の光ディスク８側には集積光学素子１２が設けられている。集積光学素子１２は内部に複数の斜面を有している。斜面にはビームスプリッタ（図示せず）やホログラム（図示せず）が形成される。ビームスプリッタは第２のレーザ光源１０から出射された波長λ２の光と光ディスク８で反射された波長λ１の光と光ディスク８で反射された波長λ２の光を分離する。ホログラムは分離された光ディスク８で反射された波長λ２の光をさらに分離する。受光器１３は光ディスク８からの反射光を受光し、ＲＦ信号、トラッキングエラー信号、フォーカスエラー信号などを生成する電気信号を出力する。前光モニタ１４は第１のレーザ光源２２から出射されビームスプリッタ４で一部反射された光および第２のレーザ光源１０から出射されビームスプリッタ４で一部透過した光を受光し、受光量に応じた電気信号を出力する。出力された電気信号はレーザ光の出力の制御に使われる。
【００２０】
次に光路について説明する。第１のレーザ光源２２から出射された波長λ１のレーザ光は反射ミラー２によって反射されて進行方向を変え、コリメートレンズ３によって発散光から平行光へ変換される。この平行光はビームスプリッタ４を透過して立ち上げプリズム５によって光ディスク８に対し略垂直になるように進行方向を変えられる。立ち上げプリズム５で進行方向を変えた光はホログラム素子６を透過した後、対物レンズ７によって集光されて、光ディスク８に照射される。
【００２１】
光ディスク８によって反射された光は対物レンズ７、ホログラム素子６、立ち上げプリズム５を通過した後、ビームスプリッタ４によって反射されコリメートレンズ９によって集光されて、集積光学部材１２に入射する。この間ホログラム素子６の偏光ホログラム６ａは光ディスク８で反射された光をＲＦ信号、トラッキングエラー信号、フォーカスエラー信号等に対応する信号光成分に分離する。集積光学部材１２に入射した光は第２のレーザ光源１０から出射され光ディスク８で反射された光とは分離されて受光器１３に入射する。
【００２２】
一方、第２のレーザ光源１０から出射された波長λ２のレーザ光は集積光学部材１２を透過した後、コリメートレンズ９によって平行光に変換され、ビームスプリッタ４によって反射される。その後、立ち上げプリズム５内部で反射されて光ディスク８に対し略垂直になるように進行方向を変え、ホログラム素子６を透過した後、対物レンズ７によって集光されて光ディスク８に照射される。
【００２３】
光ディスク８で反射された光は対物レンズ７、ホログラム素子６、立ち上げプリズム５を通過した後、ビームスプリッタ４で反射され、コリメートレンズ９によって集光されて集積光学部材１２に入射する。入射した光は第１のレーザ光源２２から出射され光ディスク８で反射された光と分離され、さらにＲＦ信号、トラッキングエラー信号、フォーカスエラー信号等に対応する光に分離されて受光器１３に入射する。
【００２４】
次に本実施の形態１におけるレーザモジュールの説明をする。本実施の形態１の場合、レーザモジュール１は第１のレーザ光源２２を含んで構成される。第１のレーザ光源２２は波長λ１のレーザ光を発光する発光点２３と、レーザ光が出射される出射部２２ａと反対側に設けられ第１のレーザ光源２２に電力を供給するリード２１を有している。発光点２３は出射部２２ａからレーザ光を見たときのこのレーザ光の発光点である。レーザ光源あおり調整部材２４は金属材料で作製され、第１の摺動面２４ａ、貫通孔２４ｂ、２つの留め耳２４ｃを有している。レーザ光源シフト部材２５は金属材料で作製され、受け面２５ａ、貫通孔２５ｂ、貫通孔２５ｃ、第２の摺動面２５ｄを有している。押さえ部材２６はいわゆる板バネであり、弾性材料で作製される。押さえ部材２６はＵ字型をしており、両開放端近傍に貫通孔２６ａ、Ｕ字型の底部に貫通孔２６ｂを有している。ＦＰＣ２７は第１のレーザ光源２２の電源（図示せず）に接続されており、ＦＰＣ２７を通して第１のレーザ光源２２に所定の電力が供給される。
【００２５】
レーザ光源あおり調整部材２４は第１のレーザ光源２２と半田付けや接着剤による接着等により固着される。その位置は出射部２２ａと反対側である。リード２１はレーザ光源あおり調整部材２４に触れないように貫通孔２４ｂを貫通している。第１の摺動面２４ａはこのとき発光点２３を回転中心とする円柱面となっている。
【００２６】
レーザ光源シフト部材２５はレーザ光源あおり調整部材２４の第１のレーザ光源２２と反対側に設けられる。受け面２５ａは発光点２３を回転中心とする円筒面であり、第１の摺動面２４ａとほぼ同じ半径である。リード２１はレーザ光源シフト部材２５に触れないように貫通孔２５ｂを貫通している。
【００２７】
押さえ部材２６はレーザ光源シフト部材２５の第１のレーザ光源２２と反対側に設けられる。Ｕ字型の腕部は貫通孔２５ｃを貫通し、２つの貫通孔２６ａはそれぞれ留め耳２４ｃを通している。リード２１は押さえ部材２６に触れないように貫通孔２６ｂを貫通している。押さえ部材２６の底部と貫通孔２６ａまでの長さは組み付けしない状態では両留め耳２４ｃを貫通孔２６ａに通すには短いが、押さえ部材２６は弾性を有しているため、底部を反らすことで通すことができる。したがってレーザ光源あおり調整部材２４はレーザ光源シフト部材２５に押さえ部材２６の弾性力によって支持される。そのためレーザ光源あおり調整部材２４の第１の摺動面２４ａには適正な荷重がかかり、あおり調整の際にスムーズな調整ができる。
【００２８】
リード２１はＦＰＣ２７に半田付けされて固定されている。
【００２９】
以上の構成のレーザモジュール１において、レーザ光源シフト部材２５の第２の摺動面２５ｄを光ピックアップ装置本体の基準面（図示せず）に押し当て、図示するＸ方向およびＹ方向に動かすことで第１のレーザ光源２２の位置調整が行われる。位置調整後、レーザシフト調整部材２５は接着剤による接着等によりで光ピックアップ装置本体に固着される。さらに発光点２３を中心にレーザ光源あおり調整部材２４の第１の摺動面２４ａを図示するθｘ方向に回動することで第１のレーザ光源２２のあおり調整が行われる。回動中心が発光点２３であるためあおり調整をしても事前に調整した発光点２３の位置は変わらない。またＦＰＣ２７は第１のレーザ光源２２に給電して第１のレーザ光源２２を発光させるとともに、第１のレーザ光源２２とレーザ光源あおり調整部材２４とを回動させる際の把持部材として機能する。
【００３０】
以上のように構成、調整されたレーザモジュール１を備える光ピックアップ装置は図３に示すようにレーザモジュール１が光ピックアップ装置の狭いスペースに組み込まれる。
【００３１】
次に第１のレーザ光源２２があおり調整されてレーザ光の出射方向が調整される様子を図４、図５を用いて説明する。図４はレーザ光の出射方向が光軸に対して傾いていない場合のレーザ光の出射の様子とコリメートレンズでの光強度分布を示す図、図５はレーザ光の出射方向が光軸に対し傾いている場合のレーザ光の出射の様子とコリメートレンズでの光強度分布を示す図である。光軸はコリメートレンズ３の中心と対物レンズ７の中心を光路に沿って結んだ軸である。レーザ光の出射方向が光軸に対し傾いていない場合、光ビーム３０の光強度の中心とコリメートレンズ３の中心とは一致しているため、第１のレーザ光源２２から出射される光ビーム３０のコリメートレンズ３に入射する光量は最大となり、光ディスク８へ入射する光量も最大となる。
【００３２】
これに対し、レーザ光の出射方向が光軸に対し角度θだけ傾いていると、光ビーム３０の強度の中心とコリメートレンズ３の中心とは一致しない。そのため光ビーム３０のコリメートレンズ３に入射する光量は光軸に対し傾いていない場合に比べて減少するため光ディスク８へ入射する光も減少する。
【００３３】
本実施の形態１においては第１のレーザ光源２２をレーザ光源あおり調整部材２４とともに発光点２３を中心に回動してあおり調整することで図５に示す状態から図４に示す状態とする。併せて第１のレーザ光源２２をレーザ光源あおり調整部材２４とともにレーザ光源シフト部材２５により光ピックアップ装置本体に対しＸ方向、Ｙ方向に動かすことで光ビーム３０の強度の中心とコリメートレンズ３の中心とを一致させる。
【００３４】
なお、本実施の形態１ではＣＤ用とＤＶＤ用の両方で使用できる光ピックアップ装置とし、レーザモジュール１としたのはＤＶＤ用である第１のレーザ光源２２であった。しかしＣＤ用である第２のレーザ光源１０をレーザモジュールとしても、あるいは第１のレーザ光源２２も第２のレーザ光源１０も両方ともレーザモジュールにしても良い。それだけでなく、いわゆるブルーレイやＨＤＤＶＤ等と組み合わせても良い。またいわゆる２波長半導体レーザ光源のような近接した複数の発光点を有するレーザ光源としても良い。このように位置調整、あおり調整が必要なレーザ光源のみにあおり調整機構を設けてレーザモジュールとし、必要としないレーザ光源はレーザモジュールとする必要はない。このためより小型で安価な光ピックアップ装置とすることができる。
【００３５】
また、本実施の形態１ではレーザ光源あおり調整部材２４の第１の摺動面２４ａは円柱面としているが、それに限るものではなく、球面としても良い。その場合あおり調整はθｘ方向だけではなく、それと直交するθｙ方向の調整も可能となる。
【００３６】
また、本実施の形態１ではレーザ光源シフト部材２５の受け面２５ａは円筒面としているが、それに限るものではなく、いわゆるＶ字形状等の他の形状でも構わない。その場合、第１の摺動面２４ａと受け面２５ａは線接触となり、ゴミの噛み込み等の影響を減らすことができる。さらに上記のように第１の摺動面２４ａが球面の場合、受け面２５ａは球面とすることもできるし、Ｖ字形状を組み合わせた形状とすることもできる。
【００３７】
さらに、本実施の形態１では、押さえ部材２６を用いてレーザ光源あおり調整部材２４とレーザ光源シフト部材２５を結合したが、押さえ部材２６は必ずしも必要とするものではない。例えばレーザモジュール１自体を光ピックアップ装置本体に押圧して位置調整、あおり調整をしても良い。
【００３８】
また、本実施の形態１では押さえ部材２６は板バネの性質を持たせたが、それに限るものではなく、例えば押さえ部材２６の腕部をコイルスプリング等に置き換えても良い。その際、底部に板バネの性質を持たせる必要はない。また、押さえ部材２６を磁石、レーザ光源あおり調整部材２４とレーザ光源シフト部材２５を磁性材料で作製し、磁力で保持させても良い。
【００３９】
このように本実施の形態１の光ピックアップ装置はレーザ光源の位置調整、あおり調整をすることができる上にレーザ光源の光ディスク側のスペースを狭くすることができるのでさらに小型化することができる。そのためさらに小型で安定した記録再生の光ピックアップ装置が実現できる。
【００４０】
（実施の形態２）
図６は本実施の形態２における光ディスク装置の斜視図を示すものである。図６において筐体５１は上部筐体５１ａと下部筐体５１ｂを組み合わせて構成されている。トレイ５２は筐体５１に出没自在に設けられている。トレイ５２には光ディスク８を回転させる回転駆動手段であるスピンドルモータ５３、光ピックアップ装置５４が設けられている。光ピックアップ装置５４は実施の形態１に示すレーザモジュール１を備えており、光ディスク８に情報を書き込むかあるいは情報を読み出す動作の少なくとも一方を行う。レーザモジュール１に含まれる第１のレーザ光源２２は位置調整とあおり調整が行われ、その時のコリメートレンズ３に入射する光の強度分布は図４のようになっている。またトレイ５２内にはスピンドルモータ５３に対して光ピックアップ装置５４を近づけたり離したりする移動手段であるフィード駆動系（図示せず）がある。ベゼル５５はトレイ５２の前端面に設けられて、トレイ５２が筐体５１内に収納された時にトレイ５２の出没口を塞ぐように構成されている。筐体５１内部やトレイ５２内部には図示していない回路基板があり、信号処理系のＩＣや電源回路などが搭載されている。図示していない外部コネクタ５６はコンピュータ等の電子機器に設けられた電源／信号ラインと接続される。そして、外部コネクタ５６を介して光ディスク装置内に電力を供給したり、あるいは外部からの電気信号を光ディスク装置内に導いたり、あるいは光ディスク装置で生成された電気信号を外部の電子機器などに送出する。以上のような実施の形態１に示すレーザモジュール１を備えた光ピックアップ装置５４を搭載した光ディスク装置は光ピックアップ装置５４がさらに小型で安定した記録再生を実現できるため、光ディスク装置もさらに小型で安定した記録再生が実現できる。
【産業上の利用可能性】
【００４１】
以上のように本発明の光ピックアップ装置および本発明の光ピックアップ装置を搭載した光ディスク装置は情報の記録再生特性を確保した上で小型化ができる。そのためパーソナルコンピュータ、特に小型化が要求されるノートブック型コンピュータ等の電子機器に好適に用いることができる。
【図面の簡単な説明】
【００４２】
【図１】本実施の形態１の光ピックアップ装置の光学系の構成図
【図２】（ａ）本実施の形態１のレーザモジュールの分解図、（ｂ）本実施の形態１のレーザモジュールの構成図
【図３】図１、図２に示す構成部品を実装した光ピックアップ装置の一例を示す図
【図４】レーザ光の出射方向が光軸に対して傾いていない場合のレーザ光の出射の様子とコリメートレンズでの光強度分布を示す図
【図５】レーザ光の出射方向が光軸に対し傾いている場合のレーザ光の出射の様子とコリメートレンズでの光強度分布を示す図
【図６】本実施の形態２における光ディスク装置の斜視図
【図７】従来の光ピックアップ装置の光学系の概略構成図
【符号の説明】
【００４３】
１    レーザモジュール
２    反射ミラー
３    コリメートレンズ
４    ビームスプリッタ
５    立ち上げプリズム
６    ホログラム素子
６ａ    偏光ホログラム
６ｂ    １／４波長板
７    対物レンズ
８    光ディスク
９    コリメートレンズ
１０    第２のレーザ光源
１１    回折格子
１２    集積光学素子
１３    受光器
１４    結合部材
１５    前光モニタ
２１    リード
２２    第１のレーザ光源
２２ａ    出射部
２３    発光点
２４    レーザ光源あおり調整部材
２４ａ    第１の摺動面
２４ｂ    貫通孔
２４ｃ    留め耳
２５    レーザ光源シフト部材
２５ａ    受け面
２５ｂ、ｃ    貫通孔
２５ｄ    第２の摺動面
２６    押さえ部材
２６ａ、ｂ    貫通孔
２７    ＦＰＣ
【図１】
2006146977.tif 000003
【図３】
2006146977.tif 000004
【図４】
2006146977.tif 000005
【図５】
2006146977.tif 000006
【図６】
2006146977.tif 000007
【図７】
2006146977.tif 000008
【図２】
2006146977.tif 000009